(57)【要約】ヘッド部に連結した可撓尾部を備えるケーブル結束具であり、前記ヘッド部は前記可撓尾部をそこに通して保持することができる第１のスロットを備え、前記第１のスロットは前記ヘッド部の外壁の開口と連通していて、前記開口は可撓尾部をそこを通して取り外すことを可能にする。
2011514951.tif 000002
【特許請求の範囲】
【請求項１】
ヘッド部に連結した可撓尾部を備えるケーブル結束具であり、前記ヘッド部は前記可撓尾部をそこに通して保持することができる第１のスロットを備え、前記第１のスロットは前記ヘッド部の外壁の開口と連通していて、前記開口は可撓尾部をそこを通して取り外すことを可能にし、前記開口を通して前記可撓尾部を取り外すことを容易にするために、前記可撓尾部の上面はアーチ形である、ケーブル結束具。
【請求項２】
前記ヘッド部は前記第１のスロットから前記開口にかけて先細りになっている、請求項１に記載のケーブル結束具。
【請求項３】
前記ケーブル結束具は第２のスロットを備え、前記第２のスロットは前記第１のスロットと前記開口の両方に連通している、請求項１または請求項２に記載のケーブル結束具。
【請求項４】
前記第２のスロットは、前記可撓尾部が前記第１のスロットにすでに通されている状態で、前記可撓尾部の一部を保持するように適合される、請求項３に記載のケーブル結束具。
【請求項５】
前記第２のスロットは前記第１のスロットと前記開口の間に介在するように位置付けられる、請求項３または請求項４に記載のケーブル結束具。
【請求項６】
前記第１及び第２のスロットの少なくとも一つの上側の壁の少なくとも一部は、前記開口に向けて上方に傾斜している、請求項３から請求項５のいずれかに記載のケーブル結束具。
【請求項７】
前記第１及び第２のスロットの少なくとも一つは、前記可撓尾部を前記スロットにより保持することを補助するように適合された一つ以上のランド部を備える、請求項３から請求項６のうちのいずれか一つに記載のケーブル結束具。
【請求項８】
前記第１のスロットは保持手段を含む、請求項１から請求項７のいずれかに記載のケーブル結束具。
【請求項９】
前記保持手段は、前記可撓尾部の一つ以上の面上の一連の溝に噛み合うように適合された一つ以上の固定用突起を備える、請求項８に記載のケーブル結束具。
【請求項１０】
前記保持手段は、前記可撓尾部の上面と下面の各々の面上の一連の溝と噛み合うように適合された少なくとも一つの固定用突起を備える、請求項９に記載のケーブル結束具。
【請求項１１】
前記可撓尾部は、前記上面と下面をつなぎ合わせる側面部を備える、請求項１から請求項１０のいずれかに記載のケーブル結束具。
【請求項１２】
前記側面部は丸みを帯びているかまたは斜面である、請求項１１に記載のケーブル結束具。
【請求項１３】
前記側面部には、前記第１のスロットの内側に位置付けられた一つ以上の保持手段に噛み合うように適合された一連の溝が設けられている、請求項１１または請求項１２に記載のケーブル結束具。
【請求項１４】
前記第１のスロットは、前記可撓尾部の上面、下面、及び一つ以上の側面部にある一連の溝に噛み合うように適合された複数の保持手段を備える、請求項１３に記載のケーブル結束具。
【請求項１５】
前記ケーブル結束具はナイロンから製造される、請求項１から請求項１４のいずれかに記載のケーブル結束具。
【発明の詳細な説明】
【技術分野】
【０００１】
本発明は、ケーブル結束具に関係し、より具体的には、解放可能であり、再使用可能であるケーブル結束具に関係する。
【背景技術】
【０００２】
ケーブル結束具は、複数のケーブル、導管、電線管等を何本か束ねて保持するための迅速で簡単で確実な方法として、電気工やその他の熟練工によって長く使用されてきた。
【０００３】
通常、ケーブル結束具は、ヘッド部に連結した長い可撓尾部を有する。使用時には、ケーブル結束具の尾部をヘッド部のスロットに押し込み挿入し、保持されるべきケーブルまたは導管を周囲から締め付けるために尾部を引き絞る。ヘッド部は、使用中にケーブル結束具が緩んだり、外れたりするのを防ぐために、尾部の片側の面の溝に噛み合う固定用突起を、通常、備える。
【０００４】
ほとんどの標準的なケーブル結束具は、もう必要ではなくなったときにケーブル結束具を解放できるようにする機構はなく、一回きりの使用しかできない。通常、標準的なケーブル結束具を取り外す唯一の方法は結束具を切断することであるが、これはケーブル結束具を事実上壊すことであり、しかもケーブル結束具によって保持されたケーブルまたは導線を潜在的に傷つける恐れもある。さらに、電流が流れている電気ケーブルを保持しているケーブル結束具を切断する際に、誤ってケーブルを傷つけたことにより、作業者が電気ショックを受けたり、さらには感電死する可能性もある。
【０００５】
再使用可能なケーブル結束具を製造する試みがいくつかを行なわれてきた。しかし、複雑な解放機構を備えたケーブル結束具を製造する追加の製造コストが、このようなケーブル結束具を各種の使い捨て型のものに比べて値段の高いものにしてしまう。さらに、既存の解放可能なケーブル結束具は、解放するためには、しばしば両手を使わなければならない。このことは、接近することが制限された及び／または見ることが制限された場所にケーブル結束具が置かれている場合には特に不便である。
【０００６】
明確に理解して頂きたいことは、先行技術の公表文献が本文書で参照される場合、そのような参照は、その文献がオーストラリアまたはその他のいずれかの国における当技術における共通の一般的知識の一部を形成することを認めるものではないということである。
【発明の概要】
【発明が解決しようとする課題】
【０００７】
本発明の目的は、上記の不都合な事柄の少なくとも一部を克服できるケーブル結束具を提供し、または有益なまたは商業上の選択肢を提供することである。
【課題を解決するための手段】
【０００８】
一つの形態では、本発明は、ヘッド部に連結した可撓尾部を備えるケーブル結束具であり、前記ヘッド部は前記可撓尾部をそこに通して保持することができる第１のスロットを備え、前記第１のスロットは前記ヘッド部の外壁の開口と連通していて、前記開口は可撓尾部をそこを通して取り外すことを可能にするケーブル結束具に存在する。
【０００９】
好ましくは、前記ヘッド部の内部の通路は、前記第１のスロットから前記開口にかけて先細りになっている。
【００１０】
好ましくは、本ケーブル結束具は、前記第１のスロットと前記開口の両方に連通している第２のスロットを備え、前記第２のスロットは、前記第１のスロットに通された状態の前記可撓尾部の端部を輪状に返して、前記可撓尾部の一部を前記第２のスロットの内側に保持できるようにする。
【００１１】
好ましくは、前記第１及び第２のスロットの少なくとも一つの上側の壁の少なくとも一部は、前記開口に向けて上方に傾斜している。
【００１２】
本発明のいつかの実施形態では、前記第１及び第２のスロットの少なくとも一つにおいて、開口の両側の上側の壁の少なくとも一部が前記開口に向けて上方に傾斜している。本発明のこの実施形態では、傾斜した部分の間に位置付けられた開口は、任意の適切な寸法にすることができる。けれども、いくつかの実施形態では、傾斜した部分は、狭い開口を作るように互いに近接するように収束してもよい。本発明のいくつかの実施形態では、本ケーブル結束具の可撓尾部を開口を通じて取り出したいときに傾斜した部分の変形が必要になるほど、傾斜した部分が互いに非常に近接した位置内になるように収束してもよい。本発明のこの実施形態では、傾斜した部分の変形は弾性変形であることが好ましい。このように、本ケーブル結束具は再使用可能であり得る。傾斜した部分が互いに非常に近接した位置内になるように収束してもよいが、傾斜した部分が互いに接触しないことが好ましい。
【００１３】
本発明のいくつかの実施形態では、前記第１及び第２のスロットの少なくとも一つは、一つ以上のランド部を備えることができる。一つ以上のランド部は、可撓尾部をスロットの内側に保持することを補助するように適合され得る。好ましくは、一つ以上のランド部は、第１または第２のスロットの上側の壁に位置付けられる。一つ以上のランド部は、任意の適切な形状またはサイズにすることができる。例えば、一つ以上のランド部は、スロットの底面の壁に概して平行に延びる上側の壁の一部により形成され得る。好ましくは、一つ以上のランド部は、スロットの最も外側の部位から内側へ延びる上側の壁の一部により形成される。より好ましくは、一つ以上のランド部は、スロットの最も外側の部位から水平に内側へ延びる。
【００１４】
第１または第２のスロットの上側の壁の一部が開口に向けて上方へ傾斜する本発明の実施形態において、上側の壁の傾斜した部分がランドと開口の間に介在するように位置付けられることが好ましい。本発明のいくつかの実施形態では、前記第１及び第２のスロットの各々は、開口の両側に一つずつランド部を含む。
【００１５】
各スロットに一つ以上のランド部を設けることによって、可撓尾部が開口を通じて偶然にまたは意に反して脱離する可能性を減少することができる、または排除することさえできる。
【００１６】
本ケーブル結束具の可撓尾部は、前記第１のスロットの内側の保持手段に噛み合う下面と、上面とを備える。この上面は、平面であってもよく、斜面状の縁部または傾斜した上壁を含んでなる。本発明の好適な実施形態では、開口を通した可撓尾部の取り外しを容易にするために、可撓尾部の上面はアーク形である。
【００１７】
好ましくは、第１のスロットの内側に位置付けられた保持手段は、一つ以上の固定用突起を備える。使用時に前記可撓尾部を適切な位置に保持するために、上記一つ以上の固定用突起は、本ケーブル結束具の可撓尾部の下面に配置された一連の溝に噛み合う。
【００１８】
本発明の別の実施形態では、本ケーブル結束具の可撓尾部の上面と下面の両面に、一つ以上の固定用突起に噛み合うための一連の溝が設けられる。本発明のさらに別の実施形態では、可撓尾部には、上面と下面をつなぎ合わせる側面部が設けられる。側面部は任意の適切な形状と形態にすることができるが、本発明のいくつかの実施形態では、側面部は丸みを帯びている。代替的に、側面部は斜面にしてもよい。側面部に一連の溝を設けてもよい。本発明の好適な実施形態では、側面部に設けられた一連の溝は、可撓尾部の下面及び／または上面に配置された溝と同じ間隔で形成され得る。
【００１９】
好ましくは、前記第１のスロットは、可撓尾部の上面と下面の両面上の溝との噛み合いを容易にするように位置付けられた複数の固定用突起を備える。可撓尾部の側面部に一連の溝が設けられる本発明の実施形態では、第１のスロットは、一つ以上の側面部上の溝に噛み合うように適合された（例えば、固定用突起の形をした）一つ以上の保持手段をさらに備えることができる。
【００２０】
本発明のケーブル結束具は、適切な材料であればどんな材料から製造してもよい。けれども、本ケーブル結束具はナイロンから製造されることが好ましい。
【００２１】
本発明のケーブル結束具は、幅広い様々な用途に適するように、多様な長さと幅に製造され得る。
【図面の簡単な説明】
【００２２】
本発明の実施形態は、以下の図面を参照して記述される。
【図１】本発明の好適な実施形態によるケーブル結束具を示す。
【図１Ａ】本発明の好適な実施形態によるケーブル結束具のヘッド部を示す。
【図２】ケーブル結束具の可撓尾部の下面を示す。
【図３】本発明の別の実施形態のケーブル結束具のヘッド部の断面図を示す。
【図４】本発明のさらに別の実施形態のケーブル結束具のヘッド部の断面図を示す。
【図５】本発明の別の実施形態によるケーブル結束具のヘッド部の断面図を示す。
【図６】本発明のさらに別の実施形態によるケーブル結束具の端部の正面図を示す。
【図７】図６に示したケーブル結束具の端部の斜視図を示す。
【図８】本発明の一つの実施形態によるケーブル結束具の斜視図を示す。
【図９】本発明の一つの実施形態によるケーブル結束具の斜視図を示す。
【発明を実施するための形態】
【００２３】
図面のうちの図１を参照すると、本発明のケーブル結束具１０が示される。ケーブル結束具１０は、可撓尾部１１とヘッド部１２を備える。ヘッド部１２は、可撓尾部１１をそこに通すことができる第１のスロット１３を備える。可撓尾部１１は、固定用突起１４を備える保持手段によって、第１のスロット１３の内側で適切な位置に保持される。第１のスロット１３は、ヘッド部１２の外壁１６の開口１５と連通している。使用者がケーブル結束具１０を解放したいときには、可撓尾部１１を開口１５を通じて外へ直接引き出してもよいし、またはねじりながら引き出してもよい。
【００２４】
第１のスロット１３と外壁１６の開口１５との間の通路が傾斜した壁２６によって規定される、代替的な形状設計が図１Ａに示される。本発明のこの実施形態では、スロット１３の上側の壁に位置付けられた一対のランド２７がスロット１３に設けられ、開口１５の両側に一つずつランド２７が設けられている。ランド２７は、概して水平方向に延びる。本発明のこの実施形態では、上側の壁の傾斜した部分２６は、ランド２７と開口１５の間に介在するように位置付けられる。このように、可撓尾部（図示せず）が開口１５を通じて意に反して偶然に脱離することを防ぐランド２７の存在によって、可撓尾部（図示せず） が開口１５を通じて簡単に滑動できないようにされているので、可撓尾部（図示せず）はスロット１３の内側により効果的に保持され得る。
【００２５】
図面のうちの図２を見ると、可撓尾部１１の下面１７が示される。下面１７には、図１に示した固定用突起１４と噛み合う一連の溝１８が設けられている。
【００２６】
図３には、ヘッド部１２が第１のスロット１３と第２のスロット１９を備える、本発明の代替的な実施形態が示される。第１のスロットは、可撓尾部（図示せず）の下面上の溝に噛み合うようになっている固定用突起１４を備える。ヘッド部１２は、ケーブル結束具を解放するために、可撓尾部をそこを通じて引き出せる外壁１６の開口１５を備える。
【００２７】
従来のケーブル結束具では、第１のスロットを通した可撓尾部の余剰部分は単にそのままにされることがあり得る。しかし、これは体裁がよくないだけでなく、ケーブル結束具が可動部品を有する機械類のすぐ近くで使用される状況においては危険なこともあり得る。代替的に、余剰な可撓尾部を切り落としてもよいが、これは余剰な可撓尾部が機械類に巻き込まれる危険をなくすが、ケーブル結束具を再使用できないほどに損傷することでもある。
【００２８】
対照的に、図３に示した本発明のケーブル結束具は、余剰な可撓尾部が安全上の問題にならないことを確実にするために、使用者が可撓尾部材の端部を第２のスロット１９に通すことができるようにしている。このことはまた、余剰な可撓尾部を切り落とすことによってケーブル結束具を損傷する必要がない、つまりケーブル結束具を再使用できることも確実にする 。
【００２９】
図３にはまた、第１のスロット１３からの可撓尾部の迅速な取り外しを補助するために、第１のスロット１３の上側の壁２０並びに第２のスロット１９の上側の壁２１が、開口１５に向けて上方に傾斜していることも示される。
【００３０】
本発明の別の実施形態が図４に示される。ヘッド部１２は、第１のスロット１３と第２のスロット１９を備える。ケーブル結束具の可撓尾部１２は、第１のスロット１３に通され、可撓尾部１２の上面と下面の両面に配置された溝（図示せず）に噛み合う３個の固定用突起１４によって適切な位置に保持される。可撓尾部１２の上面２５はアーチ形の形状になっている一方、第１のスロット１３の上側の壁２２と第２のスロット１９の上側の壁２３は、ヘッド部１２の外壁１６の開口１５に向けて上方に傾斜している 。
【００３１】
可撓尾部１２が第１のスロット１３の内側で適切な位置に保持されている状態で、余剰な尾部が可動機械類に巻き込まれるのを防ぐために、可撓尾部の先端２４は第２のスロット１９に通される。
【００３２】
再使用のためにケーブル結束具を迅速に容易に解放するために、可撓尾部の先端２４を第２のスロット１９から引き抜くことができる。その後、可撓尾部をねじりながら開口１５を通じて引き抜くことによって可撓尾部１２を取り外すことができる。このようにして、損傷を与えずにケーブル結束具は迅速に解放されるので、 ケーブル結束具を再使用可能なことを確実にする。
【００３３】
図５は、可撓尾部１２の上面２５が傾斜した面を有する、本発明の代替的な実施形態を示す。固定用突起１４が可撓尾部１２の上面２５と下面に配置された溝（図示せず） に噛み合うことによって、ケーブル結束具を適切な位置に保持する。
【００３４】
図６と図７は、本発明の別の実施形態によるケーブル結束具の端部の別々の図を示す。これらの図には、本発明の代替的な実施形態によるケーブル結束具２８が示される。ケーブル結束具２８は、ヘッド部２９と可撓尾部３０を備える。ヘッド部２９は、可撓尾部３０をそこに通すことができる第１のスロット３１を備える。可撓尾部３０は、可撓尾部３０に設けられた一連の溝３９に噛み合うように適合された固定用突起３２を備える保持手段によって第１のスロット３１の内側で所定の位置に保持される。第１のスロット３１は、スロット３１の最も外側の部位から内側へ延びる一対のランド部３３をスロット３１の壁にさらに備える。ランド部３３は、概して水平方向に延びる。ランド部３３は、スロット３１の壁の開口３４の両側に一つずつランド部３３が設けられるように備えられている。第１のスロット３１の壁は、ランド３３と開口３４の間に介在するように位置付けられた傾斜した部分３５をさらに備える。
【００３５】
傾斜した部分３５は、開口３４が狭い隙間だけになるほどに、互いに近接するように収束する。狭い隙間だけの開口３４を設けることによって、可撓尾部３０が開口３４を通じて偶然にまたは意に反して脱離する可能性が減少される。本発明のこの実施形態では、可撓尾部３０を開口３４を通じて取り出すには、傾斜した部分３５の弾性変形が必要とされる。
【００３６】
ケーブル結束具２８のヘッド部２９は、スロット３１に通した後に可撓尾部３０をそこに挿入して輪状にすることができる第２のスロット３６をさらに具備する。第２のスロット３６は、スロット３６の内側に可撓尾部３０を保持するように適合された一対のランド部３７を備える。さらに、第２のスロット３６は、ヘッド部２９の外壁の開口３８を備える。第１のスロット３１と第２のスロット３６の両方に保持された可撓尾部３０は、ケーブル結束具２８の解放が望まれるときに、開口２８を通じてヘッド部２９から取り外すことができる。
【００３７】
図８には、本発明のさらに別の実施形態によるケーブル結束具４０が示される。ケーブル結束具４０は、ヘッド部４１と可撓尾部４２を備える。ヘッド部４０は、可撓尾部４２をそこに通すことができる第１のスロット４３を備える。可撓尾部４２は、可撓尾部４２に設けられた一連の溝（隠れている）に噛み合うように適合された固定用突起５４を備える保持手段によって、第１のスロット４３の内側で適切な位置に保持される。第１のスロット４３は、スロット４３の最も外側の部位から内側へ延びる一対のランド部４４をスロット４３の壁にさらに備える。ランド部４４は、概して水平方向に延びる。ランド部４４は、スロット４３の壁の開口４５の両側に一つずつランド部４４が設けられるように備えられている。第１のスロット４３の壁は、ランド４４と開口４５の間に介在するように位置付けられた傾斜した部分４６をさらに備える。
【００３８】
傾斜した部分４６は、開口４５が狭い隙間だけになるほどに、互いに近接するように収束する。狭い隙間だけの開口４５を設けることによって、可撓尾部４２が開口４５を通じて偶然にまたは意に反して脱離する可能性が減少される。本発明のこの実施形態では、可撓尾部４２を開口４５を通じて取り外すには、傾斜した部分４６の弾性変形が必要とされる。
【００３９】
ケーブル結束具４０のヘッド部４１は、スロット４３に通した後に可撓尾部４２をそこに挿入して輪状にすることができる第２のスロット４７をさらに具備する。第２のスロット４７は、スロット４７の内側に可撓尾部４２を保持するように適合された一対のランド部４８を備える。さらに、第２のスロット４７は、ヘッド部４１の外壁の開口４９を備える。第１のスロット４３と第２のスロット４７の両方に保持された可撓尾部４２は、ケーブル結束具４０の解放が望まれるときに、開口４９を通じてヘッド部４１から取り外すことができる。
【００４０】
ヘッド部４１は、第１のスロット４３の内側に位置付けされた追加の一対の固定用突起５０をさらに備える。これらの追加の固定用突起５０は、可撓尾部４２の丸みを帯びた両縁部５２に配置された一連の溝５１に噛み合うように適合される。したがって、三箇所に、すなわち、尾部の底面と尾部の丸みを帯びた両縁部に配置される溝と固定用突起によって、尾部は適切な位置に固定される。これは、ヘッド内の尾部の保持を向上させる。
【００４１】
図９には、使用時の図８のケーブル結束具４０が示される。可撓尾部４２が、ヘッド部４１の第１のスロット４３を通して押し込み挿入されている。本発明のこの実施形態では、尾部４２の丸みを帯びた両縁部５２に設けられた溝５１は、スロット４３の内側に位置付けさられた固定用突起（隠れている）に噛み合わされ、一方、尾部４２の下面の溝５３は、尾部４２を保持する役目をするさらに別の固定用突起５４に噛み合わされる。
【００４２】
スロット４３には、尾部４２をヘッド部４１から開口４５を通じて取り外す際に、尾部４２の丸みを帯びた縁部５２をそこに一時的に突き当てることができるくぼんだ部分５５が設けられている。くぼんだ部分５５は、ヘッド部から尾部を取り外すために尾部をねじ曲げる際に尾部の縁部がそこに移動できる領域を与える。これによって、尾部の取り外しが容易になる。
【００４３】
尾部４２が第１のスロット４３に通されて保持された後、余剰な尾部４２を輪状にして第２のスロット４７の内側に保持することができる。
【００４４】
すぐに取り外しできる、再使用可能なケーブル結束具が、ケーブル結束具のヘッド部の外壁に開口を設けることによって作れることが、今ここに意外にも発見された。このケーブル結束具は、現在入手できるその他の再使用可能なケーブル結束具に比べてより安価に製造され、より使いやすく、何回も繰返し使用しても十分な耐久性がある。
【００４５】
本発明のどの実施形態によるケーブル結束具も、ケーブルまたは導線を束ねて固定するために使用できる。これらのケーブル結束具は、例えば、時計回りまたは反時計回り方向に尾部を単にねじることによって容易に解放することができる。ケーブル結束具を解放するためには、最小のねじり圧力しか必要としない。本発明の各実施形態によるケーブル結束具は、現在入手できる解放可能なケーブル結束具に比べて、より早く、より簡単に解放する。実際、本発明の各実施形態によるケーブル結束具は、片手だけで、または実に２本の指だけまたは親指ともう一本の指だけで解放することが可能である。これは、 密閉区域または接近することや見ることが制限された区域にたとえケーブル結束具が固定されている場合にも、必要なときに容易にケーブル結束具を解放することを可能にする。
【００４６】
いくつかの実施形態では、本発明によるケーブル結束具は、固定する力を確保するために、ヘッド部の内部の２箇所以上または３箇所以上もの位置に設けられた固定用突起を含む。いくつかの実施形態では、ケーブル結束具は、尾部の余剰長（その長さを問わず）を収容し、保持するための尾部のはめ込み保持部を有し得る。これは、使用されない尾部を切り落とす必要をなくすことができ、使用中の整然さを改良する。これはまた、切断された尾部を廃棄する必要をなくすので、切断された尾部から生じる環境影響を最小にする。さらに、ケーブル結束具のヘッド内の保持部に入れて置くことができる収容された余剰な尾部は、ヘッド内に保持されている尾部の上に延伸するよう位置付けられ、これにより偶然に解放する危険を最小にする。
【００４７】
容易に解放可能なケーブル結束具を提供するという点で、本発明のケーブル結束具は、電線またはその他の類似の種類の導線または同軸ケーブルなどの束を固定するために従来のケーブル結束具が使用される場合に、ケーブル結束具を解放するために頻繁に起こり得る困難を回避することが理解されるであろう。解放不可能なケーブル結束具が使用される場合には、作業者は、通常、ケーブル結束具を切断することによってケーブル結束具を取り外す。固定されたケーブル結束具を切り開くためには、鋭利な刃またはナイフが必要になる。固定されたケーブル結束具を切断するために鋭利な器具を使用することは、密閉領域または異なる場所に配線された導線にケーブル結束具が適用された場合には特に、束ねた導線の内部にまたは貫通して誤って切り込んでしまうという重大な危険を生じさせる。誤って導線に切り込んでしまう潜在的な危険は、深刻な電気故障または致命的な事故を引き起こす可能性がある。この危険は、本発明によって大幅に取り除かれる。
【００４８】
本発明は、明確に記載されたもの以外の変形や修正を受け入れ得ることは当業者はよく理解されているであろう。当然のことながら、本発明は、本発明の精神と範囲の内に入るすべてのそのような変形や修正を含有する。
【図１】
2011514951.tif 000003
【図１Ａ】
2011514951.tif 000004
【図２】
2011514951.tif 000005
【図３】
2011514951.tif 000006
【図４】
2011514951.tif 000007
【図５】
2011514951.tif 000008
【図６】
2011514951.tif 000009
【図７】
2011514951.tif 000010
【図８】
2011514951.tif 000011
【図９】
2011514951.tif 000012
【国際調査報告】
2011514951.tif 000013
2011514951.tif 000014